(57)【特許請求の範囲】
【請求項１】
壁（１）と床下地（２）上に敷設される床材（３）との間に位置付けられる幅木であり、横長長方形状の幅木（６）本体と、この幅木（６）本体の裏面に固定される弾性材（７）とからなる幅木であって、幅木（６）本体は少なくとも上下二部材から形成されており、下方に位置付けられる幅木（６ｂ）本体の高さ寸法は床材（３）の厚み寸法とほぼ同寸法であり、この幅木（６ｂ）本体と、上方に位置付けられる幅木（６ａ）本体とは接続されていないことを特徴とする幅木。
【請求項２】
幅木（６）の少なくとも床材（３）の端部（４）を当接させた時に露出する部分が化粧シ−ト材（９）によって被覆されていることを特徴とする請求項１記載の幅木。
【請求項３】
下面が床下地（２）表面に、裏面が壁（１）表面に接触するように位置付けられる幅木（６）と、幅木（６）の表面にその端部（４）が突き当てられる床材（３）との納まり構造であり、弾性材（７）の裏面が壁（１）表面に固定され、弾性材（７）の前面に、その下面が床下地（２）表面に接触する幅木（６）本体が固定されて構成される幅木（６）本体の前面に床下地（２）上に敷設される床材（３）の端部が突き付けられることを特徴とする幅木と床材の納まり構造であって、幅木（６）本体が少なくとも上下二部材から構成されており、下方に位置付けられる幅木（６ｂ）本体の高さ寸法は床材（３）の厚み寸法とほぼ同じであり、この幅木（６ｂ）本体と上方に位置付けられる幅木（６ａ）本体とは互いに接続されていないことを特徴とする幅木と床材の納まり構造。
【請求項４】
幅木（６）の少なくとも床材（３）の端部（４）を当接させた時に露出する部分が化粧シ−ト材（９）によって貼着されていることを特徴とする請求項３記載の幅木と床材の納まり構造。
【発明の詳細な説明】
【０００１】
【発明の属する技術分野】
本発明は幅木本体と弾性材とからなる幅木、およびこの幅木と床材の納まり構造に係るものである。
【０００２】
【発明が解決しようとする課題】
従来、床材は幅木を壁に取り付けた後に幅木の前面にその端部を突き当てることによって床下地に固定されていた。しかし、床材は水分などの影響によって伸縮するという特徴があるために床材が伸張した場合に幅木を押圧して幅木を損傷させるということがあった。そのために例えば床材の厚みに合わせた高さの弾性材を壁に取り付けてこの弾性体の上に幅木を載置するという方法も考えられたが弾性材は伸縮するために幅木の位置決めをするのが困難であるという欠点があった。
【０００３】
【課題を解決するための手段】
本発明は第１発明として、壁と床下地上に敷設される床材との間に位置付けられる幅木であり、横長長方形状の幅木本体と、この幅木本体の裏面に固定される弾性材とからなる幅木であって、幅木本体は少なくとも上下二部材から形成されており、下方に位置付けられる幅木本体の高さ寸法は床材の厚み寸法とほぼ同寸法であり、この幅木本体と、上方に位置付けられる幅木本体とは接続されていないことを特徴とする幅木、また第２発明として、第１発明の具体的実施形態に係り、幅木の少なくとも床材の端部を当接させた時に露出する部分が化粧シ−ト材によって被覆されていることを特徴とする幅木、また第３発明として、下面が床下地表面に、裏面が壁表面に接触するように位置付けられる幅木と、幅木の表面にその端部が突き当てられる床材との納まり構造であり、弾性材の裏面が壁表面に固定され、弾性材の前面に、その下面が床下地表面に接触する幅木本体が固定されて構成される幅木本体の前面に床下地上に敷設される床材の端部が突き付けられることを特徴とする幅木と床材の納まり構造であって、幅木本体が少なくとも上下二部材から構成されており、下方に位置付けられる幅木本体の高さ寸法は床材の厚み寸法とほぼ同じであり、この幅木本体と上方に位置付けられる幅木本体とは互いに接続されていないことを特徴とする幅木と床材の納まり構造、また第４発明として、第３発明の具体的実施形態に係り、幅木の少なくとも床材の端部を当接させた時に露出する部分が化粧シ−ト材によって貼着されていることを特徴とする幅木と床材の納まり構造に係るものである。
【０００４】
【発明の実施の態様】
図１は弾性材が幅木本体の後方に位置付けられている幅木と床材の納まり構造を示す要部縦断面図である。幅木６本体について説明する。この幅木６本体は長さ寸法３，９５０ｍｍ、厚み寸法１５ｍｍ、高さ寸法７０ｍｍの無垢材に塗装が施されて形成されているものであるが、寸法、材質などはこれに限定されるものではない。この幅木６本体の裏面には長さ寸法３，９５０ｍｍ、厚み寸法５ｍｍ、高さ寸法７０ｍｍの軟質の合成樹脂から成型された弾性材９が貼着されている。この弾性材９の上面は幅木６本体と同じ色で塗装されているが、弾性材９そのものの色が幅木６本体と同じ色であるものを使用することも考えられる。この弾性材９の材質およびそれぞれの寸法はこれに限定されるものではなく、特に材質に関しては力を加えた時に収縮するものであれば何でも構わない。次に幅木および床材の施工方法について説明する。まず、幅木６本体の裏面に貼着された弾性材７の裏面に接着剤を塗布して壁１に固定する。この幅木６の固定方法としては他にも両面テ−プを使用する等、様々な方法が考えられる。幅木６本体は弾性材７を介して壁１に固定される形となる。最後に床材３の長さ方向の端部４をこの幅木６本体の前面に当接させ、床材３を接着剤を使用して固定する。この床材３の裏面には緩衝材１０が貼着されており、床下地２上に直接固定することが可能である。また、緩衝材１０が貼着されていない床材３を根太を介して床下地２上に敷設することも考えられる。
【０００５】
図２は弾性材が幅木本体の後方に位置付けられている幅木と床材の納まり構造を示す要部縦断面図である。この幅木６本体の寸法および材質は図１において説明した幅木６本体と同じであるが、上面にのみ塗装を施しているという点が異なる。また、弾性材７の寸法および材質も図１において説明した弾性材とほぼ同じであるが、この弾性材７は幅木６本体の前方に位置付けられるものであり、意匠性を向上させるために上部に面取り加工が施されている。また、その前面および上面は幅木２本体と同じ色で塗装されている。次に幅木および床材の施工方法について説明する。まず、幅木６本体の表面に弾性材７を接着剤を使用して貼着、固定する。弾性材７の固定手段としてはこれに限定されるものではなく他にも両面テ−プを使用して固定することなどが考えられる。次に幅木６本体の裏面および下面に接着剤を塗布し、その裏面を壁１に、また、下面を床下地２に当接させてこの幅木６を固定する。最後に床材３の長さ方向の端部４をこの弾性材１の前面に当接させ、床材３を接着剤を使用して固定する。
【０００６】
図３は二体の幅木本体が弾性材の前方に位置付けられている幅木と床材の納まり構造を示す要部縦断面図である。幅木２本体について説明する。下方に位置付けられる幅木６ａ本体の長さ寸法は３，９５０ｍｍ、厚み寸法は１０ｍｍ、高さ寸法は１５ｍｍであり、高さ寸法に関してはこの幅木６表面に突き合わせられる床材３の厚み寸法に対応させられている。また、上方に
位置付けられる幅木６ａ本体の長さ寸法は３，９５０ｍｍ、厚み寸法は１０ｍｍ、高さ寸法５５ｍｍである。この上下の幅木６本体は互いに重合させられているが固定されているものではない。次に幅木および床材の施工方法について説明する。まず、幅木６本体を上下に重合させ、弾性材７の表面に接着剤を使用して貼着、固定する。弾性材７の固定手段としてはこれに限定されるものではなく他にも両面テ−プを使用するなどの方法が考えられる。幅木６本体同士は固定されていないがこれは床材３が伸張して幅木６本体を押圧した時に下方の幅木６本体のみが後方向に移動できるようにするためである。この場合、上方の幅木６本体の移動は極力抑えられるため、不自然に幅木６本体が前傾するということがなくなる。次に幅木６本体の裏面および下面に接着剤を塗布し、その裏面を壁１に、また、下面を床下地２に当接させてこの幅木６を固定する。最後に床材３の長さ方向の端部４をこの弾性材７の前面に当接させ、床材３を接着剤を使用して固定する。なお、幅木６本体同士の重合箇所に合わせて弾性材７に水平に切り込みを入れても構わない。
【０００７】
図４は露出部分に化粧シ−ト材が貼着されている幅木と床材の納まり構造を示す要部縦断面図である。この幅木６本体の寸法および材質は図２において説明したものと同じである。また、弾性材７の寸法および材質も図２において説明した弾性材とほぼ同じであるが、幅木６本体と弾性材７が化粧シ−ト材９で被覆されているという点で異なっている。この化粧シ−ト材９は突板に塗装を施したものであるがこれに限定されるものではない。このように化粧シ−ト材９を使用することによって違和感のある弾性材７を目に付かないようにすることができる
【０００８】
【発明の効果】
本発明では下方に位置付けられる幅木本体の高さ寸法が床材の厚み寸法とほぼ同寸法である幅木本体を使用することにより床材の膨張によって床材の端部が幅木を押圧する時に下方の幅木本体だけが後方向に移動することとなり、上方の幅木本体の移動が極力抑えられるために幅木本体が不自然に前傾するということがなくなる。
【０００９】
また、床材の端部が幅木の前面に当接させられた時に現れる弾性材と幅木本体の露出部分が化粧シ−ト材によって被覆されている幅木を使用することにより施工後の幅木を美しく見せることができる。
【図面の簡単な説明】
【図１】弾性材が幅木本体の後方に位置付けられている幅木と床材の納まり構造を示す要部縦断面図。
【図２】幅木本体が弾性材の後方に位置付けられている幅木と床材の納まり構造を示す要部縦断面図。
【図３】二体の幅木本体が弾性材の後方に位置付けられている幅木と床材の納まり構造を示す要部縦断面図。
【図４】露出部分に化粧シ−ト材が貼着されている幅木と床材の納まり構造を示す要部縦断面図。
【符号の説明】
１  壁
２  床下地
３  床材
４  端部
６  幅木
７  弾性材
８  切り込み
９  化粧シ−ト材
【図１】
0003962144.tif 000002
【図２】
0003962144.tif 000003
【図３】
0003962144.tif 000004
【図４】
0003962144.tif 000005